(57)【要約】【課題】本発明は、誤結線しないように、情報機器間には十分な配線スペースを確保でき、配線作業がしやすくした分電盤を提供することを目的としている。【解決手段】本発明に係る分電盤のキャビネット側面にはコンセントを設けてプラグ差し込み口は分電盤の表面に露出させ、情報通信機器を搭載する情報分電盤を隣接させるとき、前記コンセントが前記情報分電盤の内側に貫通可能となるように前記情報分電盤のキャビネット側面には貫通穴を設けたことを特徴とする。【選択図】図２
2009050125.tif 000002
【特許請求の範囲】
【請求項１】
キャビネットに主幹ブレーカと複数の分岐ブレーカとを配列し、各々を導体で接続して成る、壁面に取り付ける分電盤において、該分電盤のキャビネット側面にはコンセントを設けてプラグ差し込み口は分電盤の表面に露出させ、情報通信機器を搭載する情報分電盤を隣接させるとき、前記コンセントが前記情報分電盤の内側に貫通可能となるように前記情報分電盤のキャビネット側面には貫通穴を設けたことを特徴とする分電盤。
【発明の詳細な説明】
【技術分野】
【０００１】
本発明は、キャビネットに主幹ブレーカと複数の分岐ブレーカとを配列し、各々を導体で接続して成る、壁面に取り付ける分電盤に関するものである。
【背景技術】
【０００２】
配電のための住宅用分電盤３１と、情報機器を搭載する情報分電盤３２とを隣り合わせに併設することがよくある。情報分電盤３２に搭載される情報機器３３は電源を必要とするものもあり、情報分電盤３３には、情報機器３３の電源をとるためコンセント３４が設けられていた。住宅用分電盤３１から情報分電盤３３に設けられるコンセント３４への配線は、住宅用分電盤３１に配列されている分岐ブレーカ３５よりキャビネット３６を取り付けた壁面３７の内側を通して接続していた。
【非特許文献１】２００７カワムラ総合カタログ電設資材編平成１９年６月２０日発行
【発明の開示】
【発明が解決しようとする課題】
【０００３】
しかしながら、情報分電盤内にコンセントを設けると、情報分電盤内部に搭載されている機器間の距離が短く、情報機器それぞれの配線作業がやりにくく、誤結線の虞があった。また、住宅用分電盤から情報分電盤への配線は、キャビネットを取り付けた壁面の内側で行われるため、配線のための穴加工等、工事に手間がかかっていた。
【課題を解決するための手段】
【０００４】
そこで本発明は、誤結線しないように、情報機器間には十分な配線スペースを確保でき、配線作業がしやすくした分電盤を提供することを目的とし、その構造は、分電盤のキャビネット側面にはコンセントを設けてプラグ差し込み口は分電盤の表面に露出させ、情報通信機器を搭載する情報分電盤を隣接させるとき、前記コンセントが前記情報分電盤の内側に貫通可能となるように前記情報分電盤のキャビネット側面には貫通穴を設けたことを特徴とする。
【発明の効果】
【０００５】
本発明に係る分電盤は、分電盤のキャビネット側面にはコンセントを設けてプラグ差し込み口は分電盤の表面に露出させ、情報通信機器を搭載する情報分電盤を隣接させるとき、前記コンセントが前記情報分電盤の内側に貫通可能となるように前記情報分電盤のキャビネット側面には貫通穴を設けたため、情報分電盤内部にはコンセントの設置スペースを確保しなくてもよく、情報分電盤内部に余裕ができ、各機器間の距離が十分に確保でき、配線作業がしやすくなり、誤結線防止となる。また、さらにスペースに余裕がある場合には、キャビネット自体を小さいものにでき、製造コストを引き下げることができる。従来、住宅用分電盤の分岐ブレーカと情報分電盤のコンセントとの間の配線は、キャビネットを取り付けた壁面の内側で行っていたが、住宅用分電盤と情報分電盤のキャビネット内で配線できるため、作業の手間を省くことができる。作業工数の削減により、事故の要因も減らすことができ、安全に作業が行える。
【発明を実施するための最良の形態】
【０００６】
本発明に係る分電盤の実施例を図１〜図２の添付図面に基いて説明する。
【０００７】
住宅用分電盤１は、住宅内の配電をするため、キャビネット２に主幹ブレーカ３ａや分岐ブレーカ３ｂといった電気機器３を収納して成る。一方、情報分電盤４は、ハブやルータといった情報通信機器５を収納して構成される。住宅用分電盤１と情報分電盤４は隣接させて設置することも多い。
【０００８】
情報分電盤４に収納される機器の中には、電源が必要なものもある。そのため、従来は情報分電盤４内に電源用のコンセントを設けていた。本発明は、住宅用分電盤１側に電源用コンセント６を設ける。コンセント６は、住宅用分電盤１に収納されている分岐ブレーカ３ｂの負荷側端子に接続される。
【０００９】
住宅用分電盤１のキャビネット２の基台２ａ側面に、プラグ差し込み口６ａが露出できるようにコンセント６を設ける。一方、情報分電盤４には、住宅用分電盤１に隣接して設置したときに、住宅用分電盤１に設けられたコンセント６に対向する位置に貫通穴７を設ける。情報分電盤４と住宅用分電盤１とを隣接して設置した場合、住宅用分電盤１に設けられたコンセント６が貫通穴７を貫通し、情報分電盤４内側にプラグ差し込み口６ａが露出する。情報分電盤４に収納される情報通信機器５のうち、電源を必要とするものには、プラグ８を接続しておき、情報分電盤４内部でコンセント６にプラグ８を差し込み、電源を取る。
【００１０】
コンセント６の取り付け位置は、図１に限定されるものではなく、キャビネット２の左右上下どちら側でも適用できる。
【００１１】
また、住宅用分電盤を情報分電盤に隣接させて設置する場合で説明したが、コンセントを使用する機器は情報分電盤に収納された情報機器に限定されるものではなく、壁面に設けられている一般的なコンセントと同様に用いることもできるように、住宅用分電盤を単独で用いた場合にも適用される。
【００１２】
住宅用分電盤１にコンセント６を設け、情報分電盤４内側にプラグ差し込み口６ａを露出させる際、図１〜図２では、情報分電盤４に貫通穴７を設けているが、本発明は、この方法に限定されるものではなく、例えば、情報分電盤４の住宅用分電盤１に連結される側には側壁を設けず、住宅用分電盤１の基台２ａ側面を情報分電盤４の側壁として用いる構造でも良い。住宅用分電盤１と情報分電盤４との連結される面は、壁一枚とし、住宅用分電盤１と情報分電盤４とを分割するためのセパレータとする構造である。
【図面の簡単な説明】
【００１３】
【図１】本発明に係る分電盤を示す説明図である。
【図２】本発明に係る分電盤を情報分電盤に隣接させた状態の内部構造を示す説明図である。
【図３】従来の分電盤と情報分電盤を隣接させた状態を示す正面図である。
【図４】図３における電源コンセントの接続方法を示す説明図である。
【図５】図４における側面から見た状態を示す説明図である。
【符号の説明】
【００１４】
１    住宅用分電盤
２    キャビネット
２ａ  基台
３    電気機器
３ａ  主幹ブレーカ
３ｂ  分岐ブレーカ
４    情報分電盤
５    情報通信機器
６    コンセント
６ａ  プラグ差し込み口
７    貫通穴
８    プラグ
【図１】
2009050125.tif 000003
【図２】
2009050125.tif 000004
【図３】
2009050125.tif 000005
【図４】
2009050125.tif 000006
【図５】
2009050125.tif 000007